(57)【要約】      （修正有）【課題】支柱に横板を簡易に取り付けられ、横板が熱膨張してもフェンスが損傷しにくい横板取付具を提供する。【解決手段】横板取付具２４は、支柱１２と横板１６を備えるフェンスに設置され、支柱に横板を取り付ける。横板取付具は、横板の上面と前面上部を保持する上部材２４Ｕと、横板の下面と前面下部を保持する下部材２４Ｄと、横板の後方で上部材と下部材を連結する背部材２４Ｂを備えている。上部材のうちの前面上部を保持する部分の高さ２４ＵＨは、下部材のうちの前面下部を保持する部分の高さ２４ＤＨより小さい。【選択図】図４
0003233285.tif 000002
【実用新案登録請求の範囲】
【請求項１】
支柱と横板とを備えるフェンスに設置され、前記支柱に前記横板を取り付けるための横板取付具であって、
前記横板の上面と前面上部を保持する上部材と、前記横板の下面と前面下部を保持する下部材と、前記横板の後方で前記上部材と前記下部材を連結する背部材とを有し、
前記上部材のうちの前記前面上部を保持する部分の高さが、前記下部材のうちの前記前面下部を保持する部分の高さより小さい横板取付具。
【請求項２】
請求項１において、
前記前面上部を保持する部分の高さが、前記前面下部を保持する部分の高さの１／２以下である横板取付具。
【請求項３】
請求項１または２において、
前記上部材が金属製であり、
前記前面上部を保持する部分の高さが、前記前面上部を保持する部分の厚さの３〜５倍である横板取付具。
【請求項４】
支柱と、複数の横板と、前記支柱に固定された請求項１から３のいずれかの横板取付具とを有し、
１枚の前記横板の右端と他の１枚の前記横板の左端が、隙間を形成するように、前記横板取付具に装着されているフェンス。
【請求項５】
請求項４において、
前記横板取付具が、前記隙間を設定する目印を備えており、
前記１枚の横板の右端と、前記他の１枚の横板の左端が、前記目印に対応して設置されているフェンス。
【請求項６】
請求項４または５において、
前記横板取付具を前方から覆うカバー部材をさらに有するフェンス。
【考案の詳細な説明】
【技術分野】
【０００１】
本願は、支柱と横板とを備えるフェンスに設置され、支柱に横板を取り付けるための横板取付具と、この横板取付具を備えるフェンスに関するものである。
【背景技術】
【０００２】
支柱と横板を備える横板フェンスが知られている。この横板フェンスでは、複数の支柱の前面に渡って、複数の横板が上下方向にネジ止めなどで固定されているものが多い。複数の支柱の前面に横板をネジ止め固定する場合、横板が熱膨張すると、これらのネジ止め部分に負荷がかかり、フェンスが損傷するおそれがある。また、長くて重い横板を持ちながら支柱の所定の位置に正確にネジ止めするには、大変な労力を要する。
【考案の概要】
【考案が解決しようとする課題】
【０００３】
本願の課題は、支柱に横板を簡易に取り付けられ、横板が熱膨張してもフェンスが損傷しにくい横板取付具と、この横板取付具を備えるフェンスを提供することである。
【課題を解決するための手段】
【０００４】
本願の横板取付具は、支柱と横板とを備えるフェンスに設置され、支柱に横板を取り付けるための横板取付具であって、横板の上面と前面上部を保持する上部材と、横板の下面と前面下部を保持する下部材と、横板の後方で上部材と下部材を連結する背部材とを有し、上部材のうちの前面上部を保持する部分の高さが、下部材のうちの前面下部を保持する部分の高さより小さい。
【０００５】
本願のフェンスは、支柱と、複数の横板と、支柱に固定された本願の横板取付具とを有し、１枚の横板の右端と他の１枚の横板の左端が、隙間を形成するように、横板取付具に装着されている。
【考案の効果】
【０００６】
本願の横板取付具は、横板の上面と前面上部を保持する上部材と、横板の下面と前面下部を保持する下部材と、横板の後方で上部材と下部材を連結する背部材を備えている。すなわち、本願の横板取付具は、横板の長手方向と交差する周囲を、前面が開放されるように保持する。このため、横板が長手方向に熱膨張しても、フェンスの構成部材が損傷しにくい。また、本願の横板取付具では、上部材が横板の前面上部を保持する部分の高さが、下部材が横板の前面下部を保持する部分の高さより小さい。このため、横板を下部材に装着した後、上部材を持ち上げて横板を上部材に装着しやすい。したがって、本願の横板取付具によれば、横板取付具に横板を簡易に装着できる。
【０００７】
本願のフェンスでは、本願の横板取付具が支柱に固定されている。このため、本願のフェンスによれば、支柱に横板を簡易に装着できる。また、本願のフェンスでは、１枚の横板の右端と他の１枚の横板の左端が、隙間を形成するように、横板取付具に装着されている。このため、横板が長手方向に熱膨張しても、１枚の横板の右端と他の１枚の横板の左端が接触するのを抑えられ、フェンスが損傷しにくい。
【図面の簡単な説明】
【０００８】
【図１】実施形態のフェンスの前面模式図。
【図２】横板とカバー部材がない状態の実施形態のフェンスの支柱付近の右側拡大模式図。
【図３】横板とカバー部材がない状態の実施形態のフェンスの支柱付近の前面拡大模式図。
【図４】横板取付具に横板を装着して、実施形態のフェンスを組み立てるときの動作模式図。
【図５】ある横板の右端部と他の横板の左端部が、実施形態の横板取付具に装着されている状態を示す前面拡大模式図。
【図６】実施形態のカバー部材の（ａ）上面図、（ｂ）右側面図、（ｃ）背面図。
【図７】図５に示す２枚の横板の境界付近に、カバー部材が装着されている状態を示す前面拡大模式図。
【図８】カバー部材がない状態の他の実施形態のフェンスの支柱付近の右側拡大模式図。
【考案を実施するための形態】
【０００９】
以下、本願のフェンスについて、図面を参照しながら実施形態に基づいて説明する。なお、本願の横板取付具は、本願のフェンスを構成する部材として説明する。図面は、フェンス、フェンスの構成部材、およびフェンスの周辺部材を模式的に表したものであり、これらの実物の寸法および寸法比は、図面上の寸法および寸法比と必ずしも一致していない。また、「〜」を挟んで２つの数値範囲を表す場合、これら２つの数値もこの範囲に含まれる。
【００１０】
特にことわらない限り、本願では便宜上、図１に示すフェンスの向きを基準に、前後、上下、左右、および縦横などの方向を規定する。つまり、図１ではフェンスの前面があらわれている。重複説明は適宜省略し、同一部材には同一符号を付与することがある。図１は、本願の実施形態のフェンス１０の前面を模式的に示している。図１に示すように、フェンス１０は、支柱１２，１４と、横板１６，１８，２０と、カバー部材２２を備えている。なお、フェンス１０の上から２段目以下の横板とその固定手段は、フェンス１０の最上段の横板とその固定手段と同じである。
【００１１】
図２は、横板１６，１８，２０とカバー部材２２がない状態のフェンス１０の支柱１２とその周辺を右側から拡大して示している。図３は、図２の状態を前方から拡大して示している。図２と図３に示すように、フェンス１０は横板取付具２４を備えている。支柱１２，１４の下部は、コンクリート基礎等によって、フェンス１０の設置場所に埋設されている。実施形態の支柱１２，１４は金属製で、正方形を底面とした中空の四角柱形状を備えている。支柱１２，１４の上端には、例えば樹脂製の支柱キャップ１２ａ，１４ａがそれぞれ装着されている。なお、支柱１２，１４の数量、材質、大きさ、および形状等は特に制限がない。
【００１２】
実施形態の横板１６，１８，２０は、樹脂製の長方形板状部材である。横板取付具２４に装着できるのであれば、横板１６，１８，２０の材質、大きさ、および形状等は特に制限がない。また、複数であれば、横板１６，１８，２０の数量も特に制限がない。横板取付具２４は、支柱１２，１４に横板１６，１８，２０を取り付けるための部材である。図２と図３に示すように、横板取付具２４は、５つのネジ孔２８を備えており、このうちの２つのネジ孔２８を用いて、ネジ２６によって支柱１２の前面に固定されている。横板取付具２４が支柱１２の前面に固定できれば、ネジ孔２８の数量および位置、ならびにネジ２６の数量および使用位置は特に制限がない。
【００１３】
また、横板取付具２４の支柱１２への固定手段にも特に制限がない。横板取付具２４は支柱１４にも固定されている（不図示）。図４は、横板取付具２４に横板１６を取り付けるとき、すなわち装着するときの動作を模式的に示している。横板取付具２４は、上部材２４Ｕと、下部材２４Ｄと、背部材２４Ｂを備えている。図４に示すように、上部材２４Ｕは、横板１６の上面と前面上部を保持する。下部材２４Ｄは、横板１６の下面と前面下部を保持する。
【００１４】
横板１６の前面上部は、横板１６の前面の上部であって、前面の上下方向の長さの例えば１／２０〜１／１０の領域の一部以上である。横板１６の前面下部は、横板１６の前面の下部であって、前面の上下方向の長さの例えば１／１０〜１／８の領域の一部以上である。背部材２４は、横板の後方で上部材２４Ｕと下部材２４Ｄを連結する。実施形態の横板取付具２４は、金属板を曲げ加工して作製されている。つまり、上部材２４Ｕと、下部材２４Ｄと、背部材２４Ｂは一体に形成されていて、弾性変形できる。
【００１５】
以下のようにして、横板取付具２４に横板１６を取り付ける。図４の上図に示すように、まず、下部材２４Ｄと背部材２４Ｂで形成される「コ」字状の隙間に、横板１６の下部を差し込む。つぎに、上部材２４Ｕを上方向に弾性変形させ、上部材２４Ｕと背部材２４Ｂで形成される「コ」字状の隙間に、横板１６の上部を押し込む。上部材２４Ｕの上方向への弾性変形は、手または道具を用いて上部材２４Ｕを持ち上げてもよいし、上部材２４Ｕの下端と横板１６の上端を接触させながら横板１６の上部を後方に押すことによって、上部材２４Ｕを持ち上げてもよい
【００１６】
横板１６の上部が後方に移動して背部材２４Ｂに近づきながら、横板１６の上部が上部材２４Ｕの下端を通過すると、上部材２４Ｕの上方向への弾性変形が解除され下方向に復元される。こうして図４の下図に示すように、横板１６は、上部材２４Ｕと下部材２４Ｄで挟まれて、横板取付具２４に装着される。図４の下図に示すように、横板１６を保持する上部材２４Ｕのうち、横板１６の前面上部を保持する部分の高さ２４ＵＨは、横板１６を保持する下部材２４Ｄのうち、横板１６の前面下部を保持する部分の高さ２４ＤＨより小さい。横板１６の前面上部を保持する部分の高さ２４ＵＨは、横板１６の前面下部を保持する部分の高さ２４ＤＨの１／２以下であることが好ましい。上部材２４Ｕの弾性変形を利用して、横板取付具２４に横板１６を装着しやすい上、いったん装着した横板１６が横板取付具２４から外れにくいからである。
【００１７】
また、実施形態の横板取付具２４のように、上部材２４Ｕが金属製の場合、横板１６の前面上部を保持する部分の高さ２４ＵＨは、横板１６の上部を保持する部分の厚さ２４ＵＤの３〜５倍であることが好ましい。高さ２４ＵＨが厚さ２４ＵＤの５倍以下であれば、上部材２４Ｕの上下方向の弾性変形が適切な範囲となり、横板１６の上部を背部材２４Ｂ付近まで移動させやすいからである。また、高さ２４ＵＨが厚さ２４ＵＤの３倍以上であれば、金属板を曲げ加工して上部材２４Ｕが作製できるからである。
【００１８】
図５は、横板１６の右端部と横板１８の左端部が横板取付具２４に装着されている状態を前方から拡大して示している。図５に示すように、実施形態のフェンス１０では、１枚の横板の右端、例えば横板１６の右端１６Ｒと、他の１枚の横板の左端、例えば横板１８の左端１８Ｌが、隙間Ｇを形成するように、横板取付具２４に装着されている。横板取付具２４は、隙間Ｇを設定する目印を備えている。
【００１９】
図３と図５に示すように、実施形態の横板取付具２４では、上下方向に平行な２本の線２４Ｍ，２４Ｎが下部材２４Ｄの前面に設けられている。そして、横板１６の右端１６Ｒと、横板１８の左端１８Ｌが、目印に対応して、すなわち線２４Ｍ，２４Ｎに沿って配置されている。隙間Ｇがあるので、横板１６，１８が熱膨張しても横板１６，１８同士が押し合うことがなく、横板１６，１８の熱膨張によるフェンス１０の破損を防げる。つまり、横板１６，１８が熱膨張しても横板１６，１８同士が接触しないように、隙間Ｇの長さを設定する。また、線２４Ｍ，２４Ｎに沿って、簡易に横板１６，１８を設置できる。
【００２０】
隙間Ｇの長さは、横板１６，１８の材質もしくは形状、またはフェンス１０が設置される環境などに応じて決定すればよい。また、線２４Ｍ，２４Ｎは、下部材２４Ｄの前面を線状に押圧したり、削ったりして設けてもよいし、下部材２４Ｄの前面に描いて設けてもよい。また、横板取付具２４の下部材２４Ｄ以外の部分に目印を設けてもよい。さらに、目印は線に限らず、点、マーク、穴、または下部材２４Ｄの切込みなどであってもよい。
【００２１】
図６（ａ）はカバー部材２２の上面を、図６（ｂ）はカバー部材２２の右面を、図６（ｃ）はカバー部材２２の背面をそれぞれ示している。図７は、図５に示す横板１６，１８の境界付近に、カバー部材２２が装着されている状態を前方から拡大して示している。図１と図７に示すように、カバー部材２２は横板取付具２４を前方から覆っている。より具体的には、爪２２ａが横板１６の上面と背面上部を、爪２２ｂが横板１８の上面と背面上部を、爪２２ｃが横板１６の下面と背面下部を、爪２２ｄが横板１８の下面と背面下部をそれぞれ保持するように、カバー部材２２が前方から横板１６，１８に装着されている。
【００２２】
カバー部材２２は、横板１６，１８の隙間Ｇと横板取付具２４を覆って隠す装飾部材として機能してる。実施形態では、カバー部材２２は、金属板を曲げ加工して作製されている。このため、爪２２ａ，２２ｂ，２２ｃ，２２ｄの弾性変形を利用して、横板１６，１８にカバー部材２２が装着できる。横板取付具２４を前方から覆うものであれば、カバー部材２２の材質、形状、色、大きさ、および数量などは特に制限がない。また、実施形態では、カバー部材２２が横板１６，１８に装着されているが、カバー部材２２が横板取付具２４に装着されていてもよいし、横板１６，１８と横板取付具２４にわたって装着されていてもよい。
【００２３】
図８は、カバー部材がない状態の他の実施形態のフェンスの支柱１２、横板取付具３４、およびその周辺を、右側から拡大して示している。横板取付具３４によって、鉛直方向に対して斜めになるように、横板１６が支柱１２に取り付けられている。横板１６が斜め向きに装着される点を除けば、横板取付具３４は横板取付具２４とほぼ同様の構造を備えている。なお、横板取付具３４では、横板１６の前面上部を保持する部分の上部材３４の高さ３４ＵＨと、横板１６の前面下部を保持する部分の下部材３４Ｄの高さ３４ＤＨは、鉛直方向ではなく、横板１６の前面に沿った方向の長さをいう。
【符号の説明】
【００２４】
１０  フェンス
１２，１４  支柱
１２ａ，１４ｂ  支柱キャップ
１６，１８，２０  横板
１６Ｒ  横板１６の右端
１８Ｌ  横板１８の左端
２２  カバー部材
２２ａ，２２ｂ，２２ｃ，２２ｄ  爪
２４，３４  横板取付具
２４Ｕ，３４Ｕ  上部材
２４ＵＨ，３４ＵＨ  横板の前面上部を保持する部分の上部材の高さ
２４ＵＤ  横板の上部を保持する部分の上部材の厚さ
２４Ｄ，３４Ｄ  下部材
２４ＤＨ，３４ＤＨ  横板の前面下部を保持する部分の下部材の高さ
２４Ｂ，３４Ｂ  背部材
２４Ｍ，２４Ｎ  線
２６  ネジ
２８  ネジ孔
【図１】
0003233285.tif 000003
【図２】
0003233285.tif 000004
【図３】
0003233285.tif 000005
【図４】
0003233285.tif 000006
【図５】
0003233285.tif 000007
【図６】
0003233285.tif 000008
【図７】
0003233285.tif 000009
【図８】
0003233285.tif 000010